(57)【特許請求の範囲】
【請求項１】
軽量気泡コンクリートパネルのロッキング機構構成用の取付け金物であって、
自重受け金具と、パネル載置金具と、が継合されてなり、
前記自重受け金具は、略矩形板状の自重受け水平板と、該自重受け水平板の一側辺から該自重受け水平板に対して垂直に立ち上がる略矩形板状の垂直支持板と、を含んでなり、
前記パネル載置金具は、略矩形板状のパネル載置板と、該パネル載置板の一の側辺から該パネル載置板に対して平行に突出している爪部と、を含んでなり、
前記自重受け金具の前記垂直支持板には貫通スリットが形成されていて、
前記自重受け金具と、前記パネル載置金具と、が前記貫通スリットに前記爪部が揺動可能に継合されていて、
前記自重受け金具の自重受け水平板における自重受け面、又は、前記パネル載置金具のパネル載置板における前記自重受け面側の面のうち、いずれか一の面に、ロッキング機構構成用の突起部が形成されている取付け金物。
【請求項２】
前記爪部の先端寄りの一部に脱落防止用のアンカー部が形成されている請求項１に記載の取付け金物。
【請求項３】
請求項１又は２に記載の取付け金物に軽量気泡コンクリートパネルが載置されてなる軽量気泡コンクリートパネルの取付け構造。
【請求項４】
前記軽量気泡コンクリートパネルの下部小口面における幅方向の両端部に請求項１又は２に記載の取付け金物が配置されていて、該取付け金物に前記軽量気泡コンクリートパネルが載置されてなる、軽量気泡コンクリートパネル壁体。
【請求項５】
軽量気泡コンクリートパネル用のロッキング機構構成用の取付け金物組立てキットであって、
自重受け金具と、パネル載置金具と、からなり、
前記自重受け金具は、略矩形板状の自重受け水平板と、該自重受け水平板の一側辺から該自重受け水平板に対して垂直に立ち上がる略矩形板状の垂直支持板と、を含んでなり、
前記パネル載置金具は、略矩形板状のパネル載置板と、該パネル載置板の一の側辺から該パネル載置板に対して平行に突出している爪部と、を含んでなり、
前記自重受け金具の前記垂直支持板には、貫通スリットが形成されていて、
前記貫通スリット及び前記爪部は、相互に揺動可能に継合することができる形状で形成されていて、
前記自重受け金具の自重受け水平板における自重受け面、又は前記パネル載置金具のパネル載置面のうち、いずれか一の面上にロッキング機構構成用の突起部が形成されている取付け金物組立てキット。
【請求項６】
前記爪部の先端寄りの一部に脱落防止用のアンカー部が形成されている請求項５に記載の取付け金物組立てキット。
【請求項７】
請求項５又は６に記載の取付け金物組立てキットと、軽量気泡コンクリートパネルと、を用いた軽量気泡コンクリートパネル壁体の形成方法であって、
前記取付け金物組立てキットを一体化して取付け金物を組立てる工程と、
前記取付け金物に前記軽量気泡コンクリートパネルを載置する工程と、を、
いずれも前記軽量気泡コンクリートパネル壁体を設置する建物の建設現場において行う軽量気泡コンクリートパネル壁体の形成方法。
【発明の詳細な説明】
【技術分野】
【０００１】
本発明は、軽量気泡コンクリートパネル（ＡＬＣパネル）用の取付け金物に関する。詳しくは、ＡＬＣパネルで帳壁を構成した軽量気泡コンクリートパネル壁体に、適切なロッキング機構を付与することができる取付け金物、及び、それを用いた軽量気泡コンクリートパネルの取付け構造に関する。
【背景技術】
【０００２】
従来、建物の帳壁をＡＬＣパネルによって構成することが広く行われている。このような壁体においては、ＡＬＣパネルの自重は、アングル等の下地を介して建物躯体に取付けられた自重受け金具によって支持されている。
【０００３】
しかし、ＡＬＣパネルを用いてなる軽量気泡コンクリートパネル壁体（ＡＬＣパネル壁体）は、地震等により一定以上の外力が加わった場合に、建物の各階に生じる層間変位に伴う自重受け金具の傾き等、パネル取付け部に生じる応力が許容応力度を超え、ＡＬＣパネルの脱落や局部的破壊が生じてしまう危険性があった。これを回避するため、ＡＬＣパネル壁体においては、通常、壁面方向内でのＡＬＣパネルの微少な回転により上記の応力を開放することができるロッキング機構によって必要な免震性が担保されている（特許文献１参照）。
【０００４】
ＡＬＣパネル壁体にロッキング機構を付与する取付け構造として、ＡＬＣパネルの自重受け金具と対面する位置に、突起物を有するロッキング機構構成用の金物を配置することにより、ＡＬＣパネルの底面と自重受け金具との間に、ロッキング性能の発揮に必要なクリアランスを確報した各種の取付け構造、及び、このような取付け構造を構成するために用いることができる各種の取付け金物が提案されている（特許文献１及び２参照）。
【０００５】
しかしながら、特許文献１及び２に記載されているいずれの取付け構造においても、ＡＬＣパネル壁体に適切なロッキング性能を発現させるためには、上述のクリアランスを確保するための金物を、自重受け金物と対面するＡＬＣパネルの底面に、一つ一つ高い位置精度で留付けする必要があった。このクリアランスを確保するための金物の留め付け作業は、建物の建築現場で、施工者による手作業によるものとなる場合が多く、施工者による品質のばらつきや、作業の繁雑さについて改善が求められていた。
【先行技術文献】
【特許文献】
【０００６】
【特許文献１】特公平６−２３４５９号公報
【特許文献２】特開２００６−１６８４１号公報
【発明の概要】
【発明が解決しようとする課題】
【０００７】
本発明は、ロッキング機構を備えるＡＬＣパネル壁体の生産性や品質安定性の向上に寄与するために、ＡＬＣパネル壁体の施工を、従来よりも簡略化、容易化された作業手順で行うことができる軽量気泡コンクリートパネル用の取付け金物を提供することを目的とする。
【課題を解決するための手段】
【０００８】
本発明者らは、特定形状を有する二つの金具、即ち、本発明独自の形状からなる自重受け金具とパネル載置金具とが継合一体化されてなる構造を有する取付け金物によって、上記課題が解決できることを見出し、本発明を完成するに至った。具体的には、本発明は、以下のものを提供する。
【０００９】
（１）  軽量気泡コンクリートパネル用の取付け金物であって、自重受け金具と、パネル載置金具と、からなり、前記自重受け金具は、略矩形板状の自重受け水平板と、該自重受け水平板の一側辺から該自重受け水平板に対して垂直に立ち上がる略矩形板状の垂直支持板と、を含んでなり、前記パネル載置金具は、略矩形板状のパネル載置板と、該パネル載置板の一の側辺から該パネル載置板に対して平行に突出している爪部と、を含んでなり、前記自重受け金具の前記垂直支持板には貫通スリットが形成されていて、前記自重受け金具と、前記パネル載置金具と、が前記貫通スリットに前記爪部が揺動可能に継合されていて、前記自重受け金具の自重受け水平板における自重受け面、又は、前記パネル載置金具のパネル載置板における前記自重受け面側の面のうち、いずれか一の面に、突起部が形成されている取付け金物。
【００１０】
（１）の発明によれば、従来のＡＬＣパネルの取付け構造におけるロッキング機構構成用の金物と自重受け金物とに対応する２つの金具を、爪部と貫通スリットとの継合によって一体化した構造の取付け金物とした。これにより、従来構造におけるロッキング機構構成用の金物のパネル底面への留め付け工程が不要となった。そして、この新規な構造の取付け金物によれば、施工者による品質のばらつきを抑えて、尚且つ、ＡＬＣパネルの取付け作業の作業性を著しく向上させることができる。
【００１１】
（２）  前記爪部の先端寄りの一部に脱落防止用のアンカー部が形成されている（１）に記載の取付け金物。
【００１２】
（２）の発明によれば、（１）に記載の取付け金物を構成する各金具の継合部分の脱落防止を、螺子や固定ピン等の追加部品を用いることなく、単純なアンカー構造によって担保することができる。従来、パネル底面へのロッキング機構構成用の金物の留付けは、通常、釘止め等により行われていたが、この場合、パネル積み重ねまでの間のいずれかの時点で、この金物のＡＬＣパネルからの脱落を完全に防止することも難しかった。（２）の発明によれば、従来構造において問題となっていた、このロッキング機構構成用の金物のＡＬＣパネルからの作業中の脱落のリスクも、実質的に回避することができる。これにより、（１）の取付け金物をＡＬＣパネル壁体に用いる場合におけるＡＬＣパネルの取付け作業の作業性を更に高めることができる。
【００１３】
（３）  （１）又は（２）のいずれかに記載の取付け金物に軽量気泡コンクリートパネルが載置されてなる軽量気泡コンクリートパネルの取付け構造。
【００１４】
（３）の発明によれば、（１）又は（２）の発明の効果を享受することにより、ＡＬＣパネル壁体を形成する際の作業の安定性と作業性が顕著に向上する。これにより、ＡＬＣパネル壁体の品質安定性と経済性の向上に貢献することができる。
【００１５】
（４）  前記軽量気泡コンクリートパネルの下部小口面における幅方向の両端部に（３）に記載の取付け構造が形成されている軽量気泡コンクリートパネル壁体。
【００１６】
（４）の発明によれば、多数のＡＬＣパネルを横積みしてなる壁体において、各ＡＬＣパネルの両端下部おいてその自重を受ける多数の取付構造部分において、（４）の発明の効果を享受することができる。これにより、このようなパネルを横積みした壁体の経済性と品質安定性の向上に大きく貢献することができる。
【００１７】
（５）  軽量気泡コンクリートパネル用の取付け金物組立てキットであって、自重受け金具と、パネル載置金具と、からなり、前記自重受け金具は、略矩形板状の自重受け水平板と、該自重受け水平板の一側辺から該自重受け水平板に対して垂直に立ち上がる略矩形板状の垂直支持板と、を含んでなり、前記パネル載置金具は、略矩形板状のパネル載置板と、該パネル載置板の一の側辺から該パネル載置板に対して平行に突出している爪部と、を含んでなり、前記自重受け金具の前記垂直支持板には、前記爪部が継合可能な貫通スリットが形成されていて、前記自重受け金具の前記垂直支持板が立ち上がっている側の面である自重受け面、又は前記パネル載置金具のパネル載置面、のうちいずれか一の面上にロッキング機構構成用の突起部が形成されている取付け金物組立てキット。
【００１８】
（５）の発明によれば、ＡＬＣパネル壁体に適切なロッキング機構を付与する取付け金物を、従来のロッキング機構構成用の金物と自重受け金物とに対応する２つの金具を、ＡＬＣパネルの載置の前に予め一体化して用いることができる取付け金物組立てキットとした。これにより、従来構造におけるロッキング機構構成用の金物のパネル底面への留め付け工程を不要とした。そして、この新規な構造及び構成からなる取付け金物組立てキットによれば、施工者による品質のばらつきを抑えて、尚且つ、ＡＬＣパネルの取付け作業の作業性を著しく向上させることができる。
【００１９】
（６）  前記爪部の先端寄りの一部に脱落防止用のアンカー部が形成されている（５）に記載の取付け金物組立てキット。
【００２０】
（６）の発明によれば、（５）に記載の取付け金物組立てキットによる取付け金物の組立て後における、各金具の継合部分からの脱落防止を、螺子や固定ピン等の追加部品を用いることなく、単純なアンカー構造によって担保することができる。これにより、従来の取付け構造の施工において問題となっていたロッキング機構構成用の金物のＡＬＣパネルからの脱落のリスクも実質的に回避して、ＡＬＣパネルの取付け作業の作業性を更に高めることができる。
【００２１】
（７）  （５）又は（６）のいずれかに記載の取付け金物組立てキットと、軽量気泡コンクリートパネルと、を用いた軽量気泡コンクリートパネル壁体の形成方法であって、前記取付け金物組立てキットを一体化して取付け金物を組立てる工程と、前記取付け金物に前記軽量気泡コンクリートパネルを載置する工程と、を、いずれも前記軽量気泡コンクリートパネル壁体を設置する建物の建設現場において行う軽量気泡コンクリートパネル壁体の設置方法。
【００２２】
（７）の発明によれば、適切なロッキング機構を有するＡＬＣパネル壁体を、施工者による品質のばらつきを抑えながら、高い作業性の下で設置することができる。又、取付け用金物を、組み立てキットを用いて建築現場において組立てる工法であることにより、工場組立て品と比較して、例えば、自重受け金具へのパネル載置金具の最終的な一体化を、現場の状況に合わせて任意の工程段階でフレキシブルに行うことができる点や、不具合が生じている一部金物の部分交換が可能であるという点等において、更に有利な効果を享受することができる。
【発明の効果】
【００２３】
本発明によれば、ＡＬＣパネル壁体の施工を、従来よりも簡略化、容易化された作業手順で行うことができる軽量気泡コンクリートパネル用の取付け金物を提供して、ロッキング機構を備えるＡＬＣパネル壁体の生産性や品質安定性の向上に寄与することができる。
【図面の簡単な説明】
【００２４】
【図１】本発明の取付け金物を用いた軽量気泡コンクリートパネルの取付け構造の立面図である。
【図２】本発明の取付け金物を用いた軽量気泡コンクリートパネルの取付け構造の側面図である。
【図３】本発明の取付け金物の斜視図である。
【図４】本発明の取付け金物を構成する金具からなる取付け金物組立てキットの各金物の斜視図である。
【図５】本発明の取付け金物の側面図である。
【図６】本発明の取付け金物の他の実施形態に係る側面図である。
【図７】本発明の取付け金物を構成する取付け金物組立てキットの各金物の他の実施形態に係る斜視図である。
【図８】本発明の取付け金物を構成する金具からなる取付け金物組立てキットの更なる他の実施形態に係る斜視図である。
【発明を実施するための形態】
【００２５】
以下、本発明の軽量気泡コンクリートパネル壁体（以下、単に、「壁体」とも言う）、軽量気泡コンクリートパネルの取付け構造（以下、単に、「取付け構造」とも言う）軽量気泡コンクリートパネル用の取付け金物（以下、単に、「取付け金物」とも言う）の好ましい実施形態について説明する。尚、以下においては、主に、複数の長方形のＡＬＣパネルを、横積みにして建造物の柱等の建物躯体にパネル両端部を接合することによって建物の帳壁を構成する壁体に本発明を適用する場合の実施形態について説明するが、本発明は、以下の実施形態に限定されるものではない。自重受け金物と建物の帳壁を構成するプレキャストパネル底面との間に所定のクリアランスを確保することによって構成されるロッキング機構を有する壁体一般に、広く適用することができるものである。
【００２６】
＜壁体＞
図１は、本発明の壁体１００の立面図である。壁体１００はロッキング機構を備える。このロッキング機構は、主として取付け構造１０によって担保されている。取付け構造１０は、取付け金物１にＡＬＣパネル２が載置されてなる部分に形成されている両者の接合構造である。
【００２７】
壁体１００においては、複数の長方形のＡＬＣパネル２が横積み配置されている。ＡＬＣパネル２は、主として、壁体１００の垂直方向に沿ってパネル数枚ごとの間隔で設置されている取付け金物１によって、その重量を支持されている。取付け金物１は、縦アングルからなる下地鋼材４を介して建物躯体３に固定されている。そして、取付け金物１は、ＡＬＣパネル２の下部小口面における幅方向の両端部に対応する位置に配置されることにより、ＡＬＣパネル２の重量を有効に支持している。
【００２８】
＜取付け構造＞
取付け金物１とＡＬＣパネル２との接合構造である取付け構造１０においては、ＡＬＣパネル２が、ロッキング性能を発揮可能な態様で取付け金物１に取り付けられている。より詳しくは、取付け金物１のロッキング機構構成用の突起部１３（以下、単に「突起部」とも言う）が適切に形成されていることにより、取付け構造１０がロッキング機構を有する構造とされており、これにより、壁体１００のロッキング性能が担保されている。
【００２９】
＜取付け金物＞
取付け金物１は、図３、図４に示す通り、自重受け金具１１と、パネル載置金具１２とが、「揺動可能」に継合されることにより構成されている。本明細書において、「揺動可能」構造とは、取付け金物１を含んでなる取付け構造１０によって壁体１００を構成する場合において、取付け金物１のパネル載置金具１２が自重受け金具１１に対して、壁体１００のロッキング性能、即ち、上述の通り、ＡＬＣパネル２の微少な回転により外力により生ずる応力を開放する性能を発現させるために必要な範囲で、揺動することが可能な構造を意味する。
【００３０】
自重受け金具１１は、略矩形板状の自重受け水平板１１１と、自重受け水平板１１１の一側辺から自重受け水平板１１１に対して垂直に立ち上がる略矩形板状の垂直支持板１１２と、を含んでなる金属部材である。これらの各部分を含んでなる自重受け金具１１は、例えば、所定の形状に打ち抜いた一枚の金属板を、所定の位置で垂直に折り曲げ加工することによって上記各部分を含んでなるものとして形成することができる。
【００３１】
自重受け金具１１には、パネル載置金具１２との継合構造を構成する貫通スリット１１３が形成されている。貫通スリット１１３は、垂直支持板１１２にパネル載置金具１２の爪部１２２を継合可能な形状で形成される。又、貫通スリット１１３の一部は、例えば図４に示すように、自重受け水平板１１１の端部にまで拡張されていてもよい。
【００３２】
パネル載置金具１２は、略矩形板状のパネル載置板１２１と、パネル載置板１２１の一の側辺からパネル載置板１２１に対して平行に突出している爪部１２２と、を含んでなる金属部材である。
【００３３】
パネル載置金具１２の有する爪部１２２の先端寄りの一部には、一体化されている状態の取付け金物１において、自重受け金具１１の貫通スリット１１３から、パネル載置金具１２が脱落することを防止するためのアンカー部１２３が形成されていることが好ましい。このアンカー部１２３は、例えば、図４に示すように、爪部１２２の先端寄りの一部を、貫通スリットの最小幅より大きくすることによって形成することができる。
【００３４】
アンカー部は、或いは、図７に示すように、先端寄りの一部が略直角に折り曲げられていることにより構成されているアンカー部１２３Ａであってもよい。このとき折り曲げられた部分の長さが、貫通スリット１１３Ａの高さよりも長いことによって、アンカー部分としての機能を発揮することができる。アンカー部１２３Ａによれば、比較的加工容易な単純な折り曲げ構造によって、自重受け金具１１からのパネル載置金具１２の脱落を防止することができる。
【００３５】
自重受け金具１１と、パネル載置金具１２との一体化のための継合及び脱落防止のための構造は、上述の各構造に限られない。例えば、図８に示すように、爪部１２２に貫通孔１２４を形成してこれに脱落防止用の固定ピン１４を挿入して係止する構造であってもよい。パネル載置金具１２が脱落することを防止するためのアンカー機能を発揮させるための構造については、壁体１００のロッキング性能を担保するための上記の「揺動」を阻害しない範囲の構造であれば、特定の構造に限定されない。
【００３６】
取付け金物１においては、自重受け金具１１の自重受け水平板１１１における自重受け面１１１ａ、又は、パネル載置金具１２のパネル載置板１２１における自重受け面側の面１２１ａのうち、いずれか一の面に、対面する面と点接触することによりロッキング機構の構成に寄与する突起部１３が形成されている。図５は、突起部１３が自重受け面１１１ａに形成されている実施形態、一方、図６は、突起部１３がパネル載置板１２１における自重受け面側の面１２１ａに形成されている実施形態、を示している。
【００３７】
上記いずれの実施形態においても、突起部１３の形状は、それぞれが対面する面との間に点接触する凸状の形状であればよく、好ましくは半球形状である。突起部１３の高さについては、図５、図６に示すクリアランスＣ、即ち、突起部１３によって点接触している自重受け水平板１１１と、パネル載置板１２１との間のクリアランスＣが、上記態様で揺動可能となり、ロッキング性能を発揮することができるような所定の大きさとする。又、突起部１３の頂部が、対面する面と点接触していることにより、パネル載置板１２１の自重受け水平板１１１とからの変位の方向に関らず、ＡＬＣパネル２の自重を自重受け水平板１１１に伝えることができる。以上の構造に基づき、取付け金物１は、それを用いた取付け構造１０に適切なロッキング機構を備えさせることができる。
【００３８】
取付け構造１０に適切なロッキング機構を備えさせることができる取付け金物の具体例として、例えば、長手方向の長さが６ｍのＡＬＣパネル２を横積みした壁体１００において、クリアランスＣ、即ち、突起部１３の高さを、３ｍｍとすることによって、自重受け水平板１１１に対するパネル載置板１２１の壁面方向内における傾きを最大４．５°まで許容するようにした取付け金物１を挙げることができる。
【００３９】
＜取付け金物組立てキット＞
本発明の取付け金物１は、自重受け金具１１とパネル載置金具１２とが、一体化される前の分離した状態で一組の組合せとされている、取付け金物組立てキットとしても、好ましくこれを用いることができる。
【００４０】
例えば、図３に示す取付け金物１は、このように一体化された状態で、壁体１００の建設現場に搬入されたものを用いることもできるが、図４のような一体化前の部品の組合せである金物組立てキットを建設現場に搬入し、この取付け金物組立てキットを一体化して取付け金物１を組立てる工程と、このようにして組立たてた取付け金物１にＡＬＣパネル２を載置する工程と、を、いずれも壁体１００の設置現場において行うことにより、壁体１００を形成することもできる。
【符号の説明】
【００４１】
１                            軽量気泡コンクリートパネル用の取付け金物
１１                          自重受け金具
１１１                        自重受け水平板
１１１ａ                      自重受け面
１１２                        垂直支持板
１１３                        貫通スリット
１２                          パネル載置金具
１２１                        パネル載置板
１２１ａ                      自重受け面側の面
１２２                        爪部
１２３                        アンカー部
１２４                        貫通孔
１３                          ロッキング機構構成用の突起部
１４                          固定ピン
２                            軽量気泡コンクリートパネル
３                            建物躯体
４                            下地鋼材
１０                          軽量気泡コンクリートパネルの取付け構造
１００                        軽量気泡コンクリートパネル壁体
【図１】
0006687218.tif 000002
【図２】
0006687218.tif 000003
【図３】
0006687218.tif 000004
【図４】
0006687218.tif 000005
【図５】
0006687218.tif 000006
【図６】
0006687218.tif 000007
【図７】
0006687218.tif 000008
【図８】
0006687218.tif 000009